(57)【要約】【課題】一部の機能しか必要としないユーザにとっても使い勝手の良い誘導加熱調理器を提供すること。【解決手段】各々所定の機能が割り当てられた複数のスイッチを表示可能なタッチパネル１０５と、通常モードと簡易モードとを含む複数のモードの中からいずれかのモードを選択するためのモード選択スイッチ１０７と、モード選択スイッチによって選択されたモードに応じて、押下されたスイッチに割り当てられた機能に基づいて、加熱コイル１０４に供給する高周波電流を制御する制御部１０６と、制御部１０６は、モード選択スイッチ１０７によって簡易モードが選択された場合に、タッチパネル１０５は所定のスイッチのみを表示することにより、ユーザの誤操作を防止することとなる。【選択図】図１
2009231175.tif 000002
【特許請求の範囲】
【請求項１】
調理物を加熱する調理容器を載置するトッププレートと、前記調理容器を加熱する誘導磁界を発生させる加熱コイルと、各々所定の機能が割り当てられた複数のスイッチを表示可能な表示部と、前記複数のスイッチの全てを前記表示部に表示する通常モードと、前記複数のスイッチのうち、一部のスイッチのみを前記表示部に表示する簡易モードとを含む複数のモードの中からいずれかのモードを選択するためのモード選択スイッチと、前記モード選択スイッチによって選択されたモードに応じて、押下されたスイッチに割り当てられた機能に基づいて、前記加熱コイルに供給する高周波電流を制御する制御部とを有し、前記制御部は、前記モード選択スイッチによって簡易モードが選択された場合に、前記表示部は所定のスイッチのみを表示する誘導加熱調理器。
【請求項２】
前記簡易モードで前記表示部に表示する所定スイッチは、調理の開始及び終了の指示のためのスイッチと、加熱用の火力調節のためのスイッチとを含む請求項１に記載の誘導加熱調理器。
【請求項３】
前記簡易モードで前記表示部に表示する所定スイッチは、調理の開始及び終了の指示のためのスイッチと、加熱用の設定及び揚げ物用の設定の切り換えのためのスイッチと、加熱用の火力調節及び揚げ物用の温度調節のためのスイッチとを含む請求項１に記載の誘導加熱調理器。
【請求項４】
請求項１から３のいずれかに記載の誘導加熱調理器の少なくとも１つをコンピュータに実行させるためのプログラム。
【発明の詳細な説明】
【技術分野】
【０００１】
本発明は、複数の操作スイッチを備えて、加熱調理を制御する誘導加熱調理器とそのプログラムに関するものである。
【背景技術】
【０００２】
従来、この種の誘導加熱調理器とそのプログラムは、調理の開始及び終了や火力の上げ下げなど、加熱調理を制御するための機能を備えている。
【０００３】
近年、加熱調理を制御するための機能の数が増加してきている。例えば、調理時間を設定するタイマー機能や、湯沸しや炊飯などを自動で調理する自動調理機能などの機能が、新たに誘導加熱調理器に設けられてきている。これらの各機能は各スイッチにそれぞれ割り当てられており、機能の数の増加に伴い、スイッチの数も増加している（例えば、特許文献１の図４参照）。
【特許文献１】特開２００３−３２３９６９号公報
【発明の開示】
【発明が解決しようとする課題】
【０００４】
しかしながら、前記従来の構成では、スイッチの数が増大すると、ユーザは使用したいスイッチをすぐに見つけることが困難になるという課題を有していた。また、使用したいスイッチと異なるスイッチを誤って押下してしまう可能性もあるという課題も有していた。このような誤った操作は、調理性能の低下を招く。このように、スイッチの増加に伴って、操作性が悪化し、また、誤操作により調理性能が低下するという課題があった。このような課題は、特に、多くの機能を必要としない又は十分に使いこなせないユーザにとって、重大である。
【０００５】
本発明は、前記従来の課題を解決するもので、複数のスイッチを含む誘導加熱調理器において、誘導加熱調理器の機能の一部しか必要としないユーザにとっても使い勝手の良い誘導加熱調理器を提供することを目的とする。
【課題を解決するための手段】
【０００６】
前記従来の課題を解決するために、本発明の誘導加熱調理器は、調理物を加熱する調理容器を載置するトッププレートと、前記調理容器を加熱する誘導磁界を発生させる加熱コイルと、各々所定の機能が割り当てられた複数のスイッチを表示可能な表示部と、前記複数のスイッチの全てを前記表示部に表示する通常モードと、前記複数のスイッチのうち、一部のスイッチのみを前記表示部に表示する簡易モードとを含む複数のモードの中からいずれかのモードを選択するためのモード選択スイッチと、前記モード選択スイッチによって選択されたモードに応じて、押下されたスイッチに割り当てられた機能に基づいて、前記加熱コイルに供給する高周波電流を制御する制御部とを有し、前記制御部は、前記モード選択スイッチによって簡易モードが選択された場合に、前記表示部は所定のスイッチのみを表示するよう構成している。
【発明の効果】
【０００７】
これによって本発明の誘導加熱調理器は、簡易モードにおいて、所定のスイッチのみを表示することで、スイッチの数を削減しユーザの誤操作を防止できる。よって、複数のスイッチを含む誘導加熱調理器において、誘導加熱調理器の機能の一部しか必要としないユーザにとっても使い勝手が良くなるという効果が得られる。
【発明を実施するための最良の形態】
【０００８】
第１の発明の誘導加熱調理器は、調理物を加熱する調理容器を載置するトッププレートと、前記調理容器を加熱する誘導磁界を発生させる加熱コイルと、各々所定の機能が割り当てられた複数のスイッチを表示可能な表示部と、前記複数のスイッチの全てを前記表示部に表示する通常モードと、前記複数のスイッチのうち、一部のスイッチのみを前記表示部に表示する簡易モードとを含む複数のモードの中からいずれかのモードを選択するためのモード選択スイッチと、前記モード選択スイッチによって選択されたモードに応じて、押下されたスイッチに割り当てられた機能に基づいて、前記加熱コイルに供給する高周波電流を制御する制御部と、を有し、前記制御部は、前記モード選択スイッチによって簡易モードが選択された場合に、前記表示部は所定のスイッチのみを表示するよう構成している。
【０００９】
これによって本発明の誘導加熱調理器は、簡易モードにおいて、所定のスイッチのみを表示することで、ユーザの誤操作を防止できる。よって、複数のスイッチを含む誘導加熱調理器において、誘導加熱調理器の機能の一部しか必要としないユーザにとっても使い勝手が良くなるという効果が得られる。
【００１０】
第２の発明の誘導加熱調理器は、特に第１の発明において、前記簡易モードで前記表示部に表示する所定スイッチは、調理の開始及び終了の指示のためのスイッチと、加熱用の火力調節のためのスイッチとを含むよう構成している。
【００１１】
これによって本発明の誘導加熱調理器は、簡易モードにおいて、調理器として最低限の機能のみを表示部に表示することで、ユーザの誤操作を防止できる。よって、複数のスイッチを含む誘導加熱調理器において、誘導加熱調理器の機能の一部しか必要としないユーザにとっても使い勝手が良くなるという効果が得られる。
【００１２】
第３の発明の誘導加熱調理器は、特に第１の発明において、前記簡易モードで前記表示部に表示する所定スイッチは、調理の開始及び終了の指示のためのスイッチと、加熱用の設定及び揚げ物用の設定の切り換えのためのスイッチと、加熱用の火力調節及び揚げ物用の温度調節のためのスイッチとを含むよう構成している。
【００１３】
これによって本発明の誘導加熱調理器は、簡易モードにおいて、調理器として最低限の機能に加え、ユーザの誤操作による発火の可能性の高い揚げ物調理の機能のみを表示部に表示することで、ユーザの誤操作を防止しかつ安全性を向上させることができる。よって、複数のスイッチを含む誘導加熱調理器において、誘導加熱調理器の機能の一部しか必要としないユーザにとっても使い勝手が良くなるという効果が得られる。
【００１４】
第４の発明は、特に第１から３のいずれかの発明の誘導加熱調理器の少なくとも１つをコンピュータに実行させるためのプログラムを提供するものである。
【００１５】
プログラムであるので、電気・情報機器、コンピュータ、サーバ等のハードリソースを協働させて本発明の誘導加熱調理器の少なくとも一部を容易に実現することができる。また記録媒体に記録したり通信回線を用いてプログラムを配信したりすることでプログラムの配布・更新やそのインストール作業が簡単にできる。
【００１６】
以下、本発明の実施の形態について、図面を用いて一実施の形態について詳細に説明する。なお、この実施の形態によって本発明が限定されるものではない。
【００１７】
（実施の形態１）
図１は、本発明の第１の実施の形態における誘導加熱調理器の構成図を示すものである
。
【００１８】
図１において、被加熱物を収納する調理容器１０１と、外郭ケース１０２と、外郭ケース１０２の上部に備えられ調理容器１０１を載置するトッププレート１０３と、調理容器１０１を加熱する誘導磁界を発生させる加熱コイル１０４と、文字や画像、各々所定の機能が割り当てられた複数のスイッチを表示可能でかつユーザからの操作を受付可能な表示部であるタッチパネル１０５と、複数のスイッチの全てをタッチパネル１０５に表示し、誘導加熱調理器の全ての機能を使用可能にする通常モードと、複数のスイッチのうち、一部のスイッチのみをタッチパネル１０５に表示し、一部の機能のみが使用可能とする簡易モードとを含む複数のモードの中からいずれかのモードを選択するためのモード選択スイッチ１０７とを有する。ここで、簡易モードは、利用できる機能を一部に制限することにより、使用者（例えば、誘導加熱調理器の操作に不慣れな初心者）の操作性の向上を図ることを目的としたものである。
【００１９】
さらに、モード選択スイッチ１０７によって選択されたモードに応じて、押下されたスイッチに割り当てられた機能に基づいて、加熱コイル１０４に供給する高周波電流を制御する制御部１０６とで構成している。
【００２０】
また制御部１０６はモード選択手段１０７によって簡易モードが選択された場合に所定のスイッチのみをタッチパネル１０５に表示し、一部の機能のみを使用可能にし、それ以外のスイッチをタッチパネル１０５に表示せず、使用不能にする機能制限手段１０５ａを備える。
【００２１】
なお、調理容器１０１にはフライパンを、外郭ケース１０２には金属ケースを、トッププレート１０３にはガラス板を、制御部１０６にはマイクロコンピュータを、モード選択手段１０７にはタクトスイッチを用いる事でこの構成を容易に実現できる。
【００２２】
図２は本発明の実施の形態１におけるタッチパネル１０５の上面図である。
【００２３】
タッチパネル１０５には、調理の開始及び終了を制御する機能が割り当てられた切／入スイッチ１０５ａ、「加熱」「揚げ物」「湯沸し」「炊飯」の調理メニューに適した設定モードに切り換えるメニュー切り替え機能が割り当てられたメニュースイッチ１０５ｂ、火力や温度や時間を上げる機能が割り当てられたプラススイッチ１０５ｃ、火力や温度や時間を下げる機能が割り当てられたマイナススイッチ１０５ｄ、加熱時間を設定するタイマー機能が割り当てられたタイマースイッチ１０５ｅ、誘導加熱調理器の状態を表示する状態表示部１０５ｆを表示する。
【００２４】
各スイッチ１０５ａ〜１０５ｅはユーザからの操作を受け付ける。
【００２５】
プラススイッチ１０５ｃ、マイナススイッチ１０５ｄは調理メニューが「加熱」モードに選択されているときは、火力の上げ下げを制御するスイッチとなり、調理メニューが「揚げ物」モードに選択されているときは、油の温度の上げ下げを調節するスイッチとなり、タイマー機能が動作している時は加熱時間の上げ下げを調節するスイッチとなる。
【００２６】
また「湯沸し」モードや「炊飯」モードは、自動で加熱コイル１０４を制御して調理する機能である。
【００２７】
また、図２はタッチパネル１０５が表示するすべての文字や記号を表示している状態を示しており、実際は誘導加熱調理器の状態に応じて文字や記号の表示・非表示をそれぞれ切り替える。
【００２８】
図３は本発明の実施の形態１における通常モードと簡易モードにおけるタッチパネル１０５の上面図である。
【００２９】
図３（ａ）は通常モードにおいて制御部１０６がタッチパネル１０５に表示するすべての文字や記号を表示している状態を示す図である。
【００３０】
モード選択手段１０７によって通常モードが選択されると、機能制限手段１０６ａはタッチパネル１０５の全てのスイッチ１０５ａ〜１０５ｅを表示・操作可能に設定する。これにより誘導加熱調理器のすべての機能を使用可能にする。
【００３１】
図３（ｂ）は簡易モードにおいて制御部１０６がタッチパネル１０５に表示するすべての文字や記号を表示している状態を示す図である。
【００３２】
モード選択手段１０７によって簡易モードが選択されると、機能制限手段１０６ａは調理の開始及び終了の指示のための切／入スイッチ１０５ａと、加熱用の火力調節のためのプラススイッチ１０５ｃとマイナススイッチ１０５ｄを表示・操作可能に設定する。これにより調理器として最低限の機能のみを使用可能にする。
【００３３】
以上のように構成された誘導加熱調理器について、以下その動作、作用を説明する。
【００３４】
図４は本発明の第１の実施の形態における誘導加熱調理器の動作を示すフローチャートである。図４は誘導加熱調理器の起動直後の動作を示している。
【００３５】
まず、ユーザが電源スイッチ（図は省略）を用いて誘導加熱調理器の起動操作を行い、制御部１０６が受け付けると（Ｓ１０１）、制御部１０６はモード選択手段１０７が簡易モードを選択しているか否かを判断する（Ｓ１０２）。
【００３６】
簡易モードが選択されていると（Ｓ１０２でｙｅｓ）、制御部１０６は機能制限手段１０６ａを動作させ、機能制限手段１０５ａは簡易モードで使用可能なスイッチを設定する（Ｓ１０３）。ここで使用可能なスイッチとは、図３（ｂ）に示すように、調理の開始及び終了の機能が割り当てられた切／入スイッチ１０５ａと、火力調節機能が割り当てられたプラススイッチ１０５ｃ及びマイナススイッチ１０５ｄである。それ以外の機能を有するタイマースイッチ１０５ｅと、メニュースイッチ１０５ｂは使用不可能に設定される。簡易モードにおいては、調理メニューを「加熱」モードに限定する。制御部１０６はさらに機能制限手段１０６ａによって使用可能に設定されたスイッチのみをタッチパネル１０５に表示し、使用不可能に設定されたスイッチを表示しない（Ｓ１０４）。
【００３７】
Ｓ１０２で通常モードが選択されていると（Ｓ１０２でｎｏ）、機能制限手段１０６ａは、誘導加熱調理器が有する全てのスイッチ１０５ａ〜１０５ｅを使用可能に設定する（Ｓ１０５）。制御部１０６は、全てのスイッチ１０５ａ〜１０５ｅをタッチパネル１０５に表示する（Ｓ５０７）。
【００３８】
以上のように、本発明の第１の実施の形態の誘導加熱調理器は、モード選択手段１０７が選択しているモードに応じて、表示するスイッチの数を切り換えている。特に、簡易モードにおいては、タッチパネル１０５に簡易モードで使用可能なスイッチのみを表示しているため、視認できるスイッチの数が制限される。よって、ユーザは、使用したいスイッチをすぐに見つけることができ、操作性が向上する。また、誤って使用目的と異なるスイッチを押下することもなくなるため、調理性能が向上する。
【００３９】
さらに、本発明の第１の実施の形態の誘導加熱調理器は、モード選択手段１０７が選択しているモードに応じて、全てのスイッチを使用可能にするか、一部のスイッチのみを使用可能にするかを切り換えている。よって、ユーザの指が表示されていないスイッチに触れた場合であっても、誤動作することはない。
【００４０】
本発明の第１の実施の形態によれば、簡易モードでは、使用可能なスイッチが切／入スイッチ１０５ａとプラススイッチ１０５ｃとマイナススイッチ１０５ｄのみに設定され、調理メニューの設定モードが「加熱」モードに限定される。よって、誘導加熱調理器を「加熱」モードでしか使用しないユーザは、モード選択手段１０７によって、通常モードから簡易モードに切り換えるだけで、簡単に火力の設定を行って加熱調理を行うことができる。これにより、揚げ物、湯沸かし、及び炊飯の調理メニューの選択機能や、タイマー機能を必要としないユーザにとっても使い勝手がよくなる。
【００４１】
なお、機能制限手段１０６ａは、調理の開始及び終了の指示のための切／入スイッチ１０５ａと、加熱用の設定及び揚げ物用の設定の切り換えのためのメニュースイッチ１０５ｂと、加熱用の火力調節及び揚げ物用の温度調節のためのプラススイッチ１０５ｃとマイナススイッチ１０５ｄを簡易モードで使用可能に設定するよう構成しても構わない。
【００４２】
図５はこの構成における通常モードと簡易モードにおけるタッチパネル１０５の上面図である。
【００４３】
図５（ａ）は通常モードにおいて制御部１０６がタッチパネル１０５に表示するすべての文字や記号を表示している状態を示す図である。
【００４４】
モード選択手段１０７によって通常モードが選択されると、機能制限手段１０６ａはタッチパネル１０５の全てのスイッチ１０５ａ〜１０５ｅを表示・操作可能に設定する。これにより誘導加熱調理器のすべての機能を使用可能にする。
【００４５】
図５（ｂ）は簡易モードにおいて制御部１０６がタッチパネル１０５に表示するすべての文字や記号を表示している状態を示す図である。
【００４６】
モード選択手段１０７によって簡易モードが選択されると、機能制限手段１０６ａは調理の開始及び終了の指示のための切／入スイッチ１０５ａと、加熱用の設定及び揚げ物用の設定の切り換えのためのメニュースイッチ１０５ｂと、加熱用の火力調節及び揚げ物用の温度調節のためのプラススイッチ１０５ｃとマイナススイッチ１０５ｄを表示・操作可能に設定する。これにより調理器として最低限の機能に加え、ユーザの誤操作による発火の可能性の高い揚げ物調理の機能のみを使用可能にする。
【００４７】
なお、モード選択手段１０７は制御部１０６がタッチパネル１０５に表示し操作可能に構成しても構わない。
【００４８】
なお、本実施の形態で説明した手段は、ＣＰＵ（またはマイクロコンピュータ）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録したりインターネットなどの通信回線を用いて配信したりすることで新しい機能の配布・更新やそのインストール作業が簡単にできる。
【００４９】
また、制御部１０６はモード選択手段１０７によって簡易モードが選択された場合に所定のスイッチのみをタッチパネル１０５に表示し、それ以外のスイッチをタッチパネル１
０５に表示しない構成であってもよい。
【産業上の利用可能性】
【００５０】
本発明の誘導加熱調理器によれば、多くの機能を搭載する誘導加熱調理器において、それらの機能の一部しか必要としないユーザにとっても使い勝手がよくなるという効果を有し、一般家庭などで使用される誘導加熱調理器に有用である。
【図面の簡単な説明】
【００５１】
【図１】本発明の実施の形態１における誘導加熱調理器を概略的に示す構成図
【図２】本発明の実施の形態１におけるタッチパネルの上面図
【図３】本発明の実施の形態１における通常モードと簡易モードにおけるタッチパネルの上面図
【図４】本発明の実施の形態１における誘導加熱調理器の動作を示すフローチャート
【図５】本発明の実施の形態１の他の例における通常モードと簡易モードにおけるタッチパネルの上面図
【符号の説明】
【００５２】
１０１  調理容器
１０３  トッププレート
１０４  加熱コイル
１０５  タッチパネル（表示部）
１０６  制御部
１０７  モード選択手段
【図１】
2009231175.tif 000003
【図２】
2009231175.tif 000004
【図３】
2009231175.tif 000005
【図４】
2009231175.tif 000006
【図５】
2009231175.tif 000007